(57)【要約】【課題】  被検者の反射神経を正確かつ容易に測定でき、かつ、簡易な構成からなる反射神経の測定装置を提供する。【解決手段】  ＬＥＤ発光体２１の選択発光により、例えば赤であれば被検者の左手に把持される左手用パッド９Ａを左方検知領域１８Ａに、緑であれば右手用パッド９Ｂを右方検知領域１８Ｂに、黄であれば左手用パッド８Ａを左方検知領域１８Ａとともに右手用パッド８Ｂを右方検知領域１８Ｂに、それぞれ近接あるいは接触させる各行為を選択的に指示し、判別手段５０により被検者が該指示に対応する行為を行ったか否かを判別させることで、被検者の反射神経の測定を可能とする。ここで左方検知領域１８Ａと右方検知領域１８Ｂに左手用パッド９Ａの下面に配設された金属板１１の近接、接触状態のみを検知する近接センサ２０（左右判別センサ）とパッドの左右に関係なくその近接、接触状態を検知する光電センサ１９（有無判別センサ）をそれぞれ配設する。【選択図】      図１
2007215895.tif 000002
【特許請求の範囲】
【請求項１】
被検者の左右それぞれの手に把持されるそれぞれのパッドと、
被検者の左手に把持されるパッドの近接あるいは接触状態を検知する左方検知領域並びに被検者の右手に把持されるパッドの近接あるいは接触状態を検知する右方検知領域を備えた検知体と、
被検者に対し、
（１）被検者の左手に把持されるパッドを左方検知領域に近接あるいは接触させる行為
（２）被検者の右手に把持されるパッドを右方検知領域に近接あるいは接触させる行為
（３）被検者の左手に把持されるパッドを左方検知領域に近接あるいは接触させ、かつ被検者の右手に把持されるパッドを把持させるパッドを右方検知領域に近接あるいは接触させる行為
のいずれかを被検者に実行させるための指示手段と、
上記検知体の左右各検知領域における対応するパッドの近接あるいは接触状態を検知し、上記（１）ないし（３）の各指示に対応する行為が行われたか否かを判別する判別手段を備え、
被検者の左手に把持されるパッド、あるいは被検者の右手に把持されるパッドのいずれか一方における、検知体の対応する左右の検知領域に対する近接あるいは接触する部位に、パッドの左右を判別させるための金属体を備えることとし、
一方検知体における左右の各検知領域には、上記（１）ないし（３）の各指示に対応する行為に基づく対応するパッドの近接あるいは接触状態を検知する光電センサを配設するとともに、左右の検知領域のいずれかのうち、上記各パッドのうち被検者の左手に把持されるパッドに金属体が備えられる場合は左方検知領域に、被検者の右手に把持されるパッドに金属体が備えられる場合は右方検知領域に、パッドの金属体の近接あるいは接触状態を検知する金属体検知用の近接センサを配設し、上記判別手段は各検知領域に配設される光電センサから出力されるパッドの近接あるいは接触状態、並びに近接センサから出力されるパッドの近接あるいは接触状態に基づき、上記（１）ないし（３）の各指示に対応する行為が行われたか否かを判別することとしたことを特徴とする反射神経の測定装置。
【請求項２】
検知体は基板状またはシート状からなる面状のものとされ、該面状からなる検知体において、左右の各検知領域を複数対備えることとしてなる請求項１に記載の反射神経の測定装置。
【請求項３】
指示手段は、左右一対の各検知領域に対応して、上記（１）ないし（３）のいずれかを被検者に実行させるため、（１）ないし（３）の各行為別に赤、緑、黄の各配色を対応させ、いずれかの色彩からなる発光を可能とするＬＥＤ発光体の選択発光に基づき、上記（１）ないし（３）のいずれかの実行を被検者に指示することとした請求項１あるは請求項２のいずれかに記載の反射神経の測定装置。
【請求項４】
指示手段が予め定められた一定の時間内において、上記（１）ないし（３）の各行為をランダムに、あるいはアトランダムに被検者に実行を指示させるべく、指示手段による指示状態を制御するコントロール部を備えた請求項１ないし請求項３のいずれかに記載の反射神経の測定装置。
【請求項５】
コントロール部が、予め定められた一定の時間内において、上記（１）ないし（３）の各行為をランダムに、あるいはアトランダムに被検者に実行を指示させるべく、指示手段による指示状態を制御することとし、かつ該一定時間内における指示の回数を、予め記憶部に記憶された任意の値に基づき、被検者が選択するための選択手段を備えた請求項４に記載の反射神経の測定装置。
【請求項６】
コントロール部が、予め定められた一定の時間内において、上記（１）ないし（３）の各行為をランダムに、あるいはアトランダムに被検者に実行を指示させるべく、指示手段による指示状態を制御することとし、一定時間の開始を被検者が入力するための開始スイッチを備えるとともに、該開始から一定時間が経過したことを報知する報知手段を備えた請求項４または請求項５に記載の反射神経の測定装置。
【請求項７】
判別手段が判別した判別結果を、被検者が把持するパッドの対応する検知領域への近接あるいは接触動作の度に、被検者に報知する報知手段を備えた請求項１ないし請求項６のいずれかに記載の反射神経の測定装置。
【請求項８】
指示手段が、予め定められた一定の時間内に実行した指示に基づく、被検者の判別結果を記憶し、一定時間内の指示の回数に占める被検者の正答数を表示する表示手段を備えた請求項４ないし請求項６のいずれかに記載の反射神経の測定装置。
【請求項９】
指示手段が、上記（１）ないし（３）の各行為をランダムに、あるいはアトランダムに被検者に実行を指示させるべく、指示手段による指示状態を制御するコントロール部を備え、該コントロール部は指示手段の指示に基づく、被検者の判別結果を順次記憶し、該判別結果のうちの正答数が、予め定められた値を達成した状態において、その状態を表示する表示手段、あるいはその状態を報知する手段を備えてなる請求項１ないし請求項３のいずれかに記載の反射神経の測定装置。
【請求項１０】
基板状またはシート状からなる検知体は、ヒンジを中心に開閉可能とされる容器の内面部に備えられ、使用時には該容器を開状態とし、収納時には閉状態として可搬可能としてなる請求項２に記載の反射神経の測定装置。
【発明の詳細な説明】
【技術分野】
【０００１】
本発明は、所定の指示に対して、被検者に該指示に対応する左右の手による所定の手動操作を求めることにより、被検者の反射神経を測定する反射神経の測定装置に関する。
【背景技術】
【０００２】
所定の指示に対して、被検者に該指示に対応する左右の手による所定の手動操作を求めることにより、被検者の反射神経を測定する反射神経の測定装置については、健常者に正答数に応じた得点を与え反射神経を競わせる遊具装置や、運動神経上の障害や老化による運動神経の後退に対して、症状ごとに適した運動を要求する医療用の訓練器具など、従来、様々なものが存在する。
【０００３】
例えば、特開２０００−１４８２７号公報に記載された発明においては、盤面上に置かれた手の各指先に対応する位置に、ランダムに発光するランプを兼ねるスイッチを配置し、このランプの発光に応じた箇所のスイッチを対応する指で押させ、その早さと予め集計された平均的なデータとを比較することにより、被検者の反射神経に対する評価を与えることとしている。こうした左右各手の指先に対応する発光箇所の発光指示に基づき、被検者に対応するスイッチを押動させるタイプの測定装置は、もっぱら左右各手における反射神経を被検者の指先動作の俊敏性を測定することにより求めるものである。ただ、本来手の反射神経は、人の基本動作に係る脳の指令に基づく左右の手全体の動きの俊敏性を検知、検出させることにより正確な値が求められるところであり、上記従来の装置はこうした点で、必ずしもその人の反射神経を正確に測定し得るものではなかった。
【特許文献１】特開２０００−１４８２７号
【０００４】
加えて上記従来の装置にあっては、被検者の指先に存在するスイッチの押動操作で被検者の反射神経を測定するものであるため、操作が複雑で、例えば、老人、中高年層の人など様々な年齢層の人達の誰もがいきなり操作をマスターできるものでなく、こうした点から老若男女の誰もが初めてでも簡単に操作することができ、しかも簡単な構造からなる反射神経の測定装置の提供が期待されるところである。
【発明の開示】
【発明が解決しようとする課題】
【０００５】
本発明は、こうした事情を鑑みてなされたものであり、被検者の反射神経を正確かつ容易に測定でき、かつ、簡易な構成からなる反射神経の測定装置を提供するものである。
【課題を解決するための手段】
【０００６】
こうした課題を解決するため、本願の請求項１に記載される発明は、被検者の左右それぞれの手に把持されるそれぞれのパッドと、被検者の左手に把持されるパッドの近接あるいは接触状態を検知する左方検知領域並びに被検者の右手に把持されるパッドの近接あるいは接触状態を検知する右方検知領域を備えた検知体と、被検者に対し、
（１）被検者の左手に把持されるパッドを左方検知領域に近接あるいは接触させる行為
（２）被検者の右手に把持されるパッドを右方検知領域に近接あるいは接触させる行為
（３）被検者の左手に把持されるパッドを左方検知領域に近接あるいは接触させ、かつ被検者の右手に把持されるパッドを把持させるパッドを右方検知領域に近接あるいは接触させる行為
のいずれかを被検者に実行させるための指示手段と、上記検知体の左右各検知領域における対応するパッドの近接あるいは接触状態を検知し、上記（１）ないし（３）の各指示に対応する行為が行われたか否かを判別する判別手段を備え、被検者の左手に把持されるパッド、あるいは被検者の右手に把持されるパッドのいずれか一方における、検知体の対応する左右の検知領域に対する近接あるいは接触する部位に、パッドの左右を判別させるための金属体を備えることとし、一方検知体における左右の各検知領域には、上記（１）ないし（３）の各指示に対応する行為に基づく対応するパッドの近接あるいは接触状態を検知する光電センサを配設するとともに、左右の検知領域のいずれかのうち、上記各パッドのうち被検者の左手に把持されるパッドに金属体が備えられる場合は左方検知領域に、被検者の右手に把持されるパッドに金属体が備えられる場合は右方検知領域に、パッドの金属体の近接あるいは接触状態を検知する金属体検知用の近接センサを配設し、上記判別手段は各検知領域に配設される光電センサから出力されるパッドの近接あるいは接触状態、並びに近接センサから出力されるパッドの近接あるいは接触状態に基づき、上記（１）ないし（３）の各指示に対応する行為が行われたか否かを判別することとしたことを特徴とする反射神経の測定装置を提供することとしたものである。
【０００７】
請求項２に係る発明は、検知体は基板状またはシート状からなる面状のものとされ、該面状からなる検知体において、左右の各検知領域を複数対備えることとしてなる請求項１に記載の反射神経の測定装置を提供することとしたものである。
【０００８】
請求項３に係る発明は、指示手段は、左右一対の各検知領域に対応して、上記（１）ないし（３）のいずれかを被検者に実行させるため、（１）ないし（３）の各行為別に赤、緑、黄の各配色を対応させ、いずれかの色彩からなる発光を可能とするＬＥＤ発光体の選択発光に基づき、上記（１）ないし（３）のいずれかの実行を被検者に指示することとした請求項１あるは請求項２のいずれかに記載の反射神経の測定装置を提供することとしたものである。
【０００９】
請求項４に係る発明は、指示手段が予め定められた一定の時間内において、上記（１）ないし（３）の各行為をランダムに、あるいはアトランダムに被検者に実行を指示させるべく、指示手段による指示状態を制御するコントロール部を備えた請求項１ないし請求項３のいずれかに記載の反射神経の測定装置を提供することとしたものである。
【００１０】
請求項５に係る発明は、コントロール部が、予め定められた一定の時間内において、上記（１）ないし（３）の各行為をランダムに、あるいはアトランダムに被検者に実行を指示させるべく、指示手段による指示状態を制御することとし、かつ該一定時間内における指示の回数を、予め記憶部に記憶された任意の値に基づき、被検者が選択するための選択手段を備えた請求項４に記載の反射神経の測定装置を提供することとしたものである。
【００１１】
請求項６に係る発明は、コントロール部が、予め定められた一定の時間内において、上記（１）ないし（３）の各行為をランダムに、あるいはアトランダムに被検者に実行を指示させるべく、指示手段による指示状態を制御することとし、一定時間の開始を被検者が入力するための開始スイッチを備えるとともに、該開始から一定時間が経過したことを報知する報知手段を備えた請求項４または請求項５に記載の反射神経の測定装置を提供することとしたものである。
【００１２】
請求項７に係る発明は、判別手段が判別した判別結果を、被検者が把持するパッドの対応する検知領域への近接あるいは接触動作の度に、被検者に報知する報知手段を備えた請求項１ないし請求項６のいずれかに記載の反射神経の測定装置を提供することとしたものである。
【００１３】
請求項８に係る発明は、指示手段が、予め定められた一定の時間内に実行した指示に基づく、被検者の判別結果を記憶し、一定時間内の指示の回数に占める被検者の正答数を表示する表示手段を備えた請求項４ないし請求項６のいずれかに記載の反射神経の測定装置を提供することとしたものである。
【００１４】
請求項９に係る発明は、指示手段が、上記（１）ないし（３）の各行為をランダムに、あるいはアトランダムに被検者に実行を指示させるべく、指示手段による指示状態を制御するコントロール部を備え、該コントロール部は指示手段の指示に基づく、被検者の判別結果を順次記憶し、該判別結果のうちの正答数が、予め定められた値を達成した状態において、その状態を表示する表示手段、あるいはその状態を報知する手段を備えてなる請求項１ないし請求項３のいずれかに記載の反射神経の測定装置を提供することとしたものである。
【００１５】
請求項１０に係る発明は、基板状またはシート状からなる検知体は、ヒンジを中心に開閉可能とされる容器の内面部に備えられ、使用時には該容器を開状態とし、収納時には閉状態として可搬可能としてなる請求項２に記載の反射神経の測定装置を提供することとしたものである。
【発明の効果】
【００１６】
請求項１に係る発明によれば、被検者の反射神経を正確かつ容易に測定でき、かつ、簡易な構成からなる反射神経の測定装置を提供することができる。
【００１７】
請求項２に係る発明によれば、被検者に対して、より多様な応答行為を求めることとなり、被検者の備える反射神経をさらに正確かつ容易に測定することが可能となる。
【００１８】
請求項３に係る発明によれば、被検者に対し視覚を通じた反射神経の測定を行うことが可能となるため、聴覚に障害をもつ人を含め、様々な被検者を対象とした反射神経の測定が可能となる。
【００１９】
請求項４に係る発明によれば、指示手段による指示状態をコントロール部による制御により、指示される行為がランダムあるいはアトランダムに変化させることができるため、一定時間内における被検者の反射神経を正確かつ容易に測定でき、さらにこうしたデータの蓄積に基づき多くの被検者の測定統計を集積することが可能となる。
【００２０】
請求項５に係る発明によれば、指示手段による指示状態をコントロール部による制御により、一定時間における指示回数を任意に設定することができるため、例えば年齢、病気の状態が異なる様々な被検者の反射神経の測定が可能となる。
【００２１】
請求項６に係る発明によれば、被検者が測定開始から測定終了までのプロセスを知ることができ、利便性の高い反射神経の測定装置の提供が可能となる。
【００２２】
請求項７に係る発明によれば、被検者の指示行為に基づく動作の判別結果を直ちに認識することができ、利便性の高い反射神経の測定装置の提供が可能となる。
【００２３】
請求項８に係る発明によれば、被検者が測定結果を直ちに認識でき、被検者自身を含め反射神経を容易に知ることができる。
【００２４】
請求項９に係る発明によれば、正答数が、予め定められた値に達成したか否かを被検者に知らせることができる。このため、被検者が一定の正答数を正解した場合の達成状態を被検者に知らせることができ、利便性の高い反射神経の測定装置を提供することが可能となる。
【００２５】
請求項１０に係る発明によれば、容器を閉状態とすることで可搬できるため、例えば該閉状態の容器を管理者が様々な施設に持ち運び閉状態にセットすることのみで利用することができ、極めて利便性の高い反射神経の測定装置を提供することが可能となる。
【発明を実施するための最良の形態】
【００２６】
以下、本発明の最良の実施形態に係る反射神経の測定装置を図１ないし図９に基づいて説明する。
反射神経の測定装置１は、図２に示すように全体アタッシュケース状の容器からなる測定装置本体２と、全体函形の表示機３、さらに測定装置本体２と表示機３を接続する２本の接続ケーブル４とにより構成される。
【００２７】
測定装置本体２、表示機３、並びに接続ケーブル４とにより構成される測定装置１は、学校、老人ホームなど、様々な場所に持ち運び、図１に示すようにしてセットして使用することが可能とされる。
【００２８】
測定装置本体２（以下単に本体２という）は、図２に示すヒンジ５を中心に矢印Ａ方向に開閉可能とされ、本体２は図１に示す開状態において、例えばテーブル、床などの支持面６上に載置することが可能とされる。こうして図１に示すように開状態にセットされた本体２は、支持面６上に載置された状態で本体２の２つの内面部２Ａ並びに２Ｂを略水平にすることができ、この状態において同じく支持面６上に載置された表示機３と本体２とを２つの接続ケーブル４で電気的に接続して全体を測定装置として使用することが可能とされる。
【００２９】
また、本体２は図２に示すヒンジ５を中心とする閉状態において、本体２の全体を収納状態で手で可搬可能とされ、持ち運び用の把手７が備えられる。
【００３０】
図２に示す収納状態から、図１１に示す使用状態に左右の各内面部２Ａ、２Ｂが開放された本体２の右側内面部２Ｂには、２つの円形からなるパッド収納穴部８Ａ、８Ｂが備えられる。このパッド収納穴部８Ａ、８Ｂは、被検者の左右の手に把持されるそれぞれのパッド９Ａ、９Ｂが図２に示す収納状態において内部に収納される（図４参照）。
【００３１】
各パッド９Ａ、９Ｂは、図５に示すように下方を円板状としてなり、上方に被検者が手で把持するための把持部１０が備えられる。パッド９Ａ、９Ｂは、被検者の左手に把持されるための左手用パッド９Ａと、被検者の右手に把持されるための右手用パッド９Ｂとがあり、左手用パッド９Ａは２つのパッド収納穴部８Ａ、８Ｂのうちの左手パッド収納穴部８Ａに、右手用パッド９Ｂは右手収納穴部８Ｂに収納可能とされる（図４参照）。
【００３２】
各パッド９Ａ、９Ｂは全体を木、プラスチックなどの非導電性材料で形成され、このうち左手用パッド９Ａの下面部には図５の（Ａ）に示すように鉄板、アルミニウム板などからなる金属板１１（金属体）が被着される。
【００３３】
測定装置１は、図１に示す使用状態において、各パッド９Ａ、９Ｂを対応する収納穴部８Ａ、８Ｂから矢印Ｂ方向に取り出し、被検者が把持部１０を把持する状態で使用される。一方、図１に示す状態で支持面６上に広げられ、各内面部２Ａ、２Ｂが開放された本体２には、左側内面部２Ａを構成する基板に第１検知面１２、第２検知面１３、第３検知面１４のそれぞれが、右側内面部２Ｂを構成する基板に第４検知面１５、第５検知面１６、第６検知面１７のそれぞれが備えられる。
【００３４】
内面部２Ａ、２Ｂを構成する基板に、配設される各検知面１２ないし１７には、それぞれ被検知者の左手に把持される左手用パッド９Ａの近接あるいは接触状態を検知する左方検知領域１８Ａと、被検者の右手に把持される右手用パッド９Ｂの近接あるいは接触状態を検知する右方検知領域１８Ｂとが備えられ、左右一対をなす各検知領域１８Ａ、１８Ｂは平面円形状とされる。
【００３５】
パッド９Ａ、９Ｂの下面と略同径の円形状をなし、各パッド９Ａ、９Ｂの下面部の近接・接触状態を検知する検知体としての各検知領域１８Ａ、１８Ｂには、それぞれ２つのセンサ１９、２０が配設され、そのうち一つのセンサ１９は被検者が把持するパッド９Ａ、９Ｂの下面部が近接あるいは接触された状態において、その状態を検知可能とする光電センサ１９とされる。もう一つのセンサ２０は、被検者が把持するパッド９Ａ、９Ｂの下面部が近接あるいは接触された状態において、パッドの下面部において金属板１１が備えられる左手用パッド９Ａの近接・接触状態のみを検知可能とする金属体検知用の近接センサ２０とされる。
【００３６】
すなわち光電センサ１９は、被検者が把持するパッドの左右に関係なく、左右の各パッド９Ａ、９Ｂの下面部が近接あるいは接触される状態をセンサ１９の発光部から発光される検知光の反射状態をセンサ１９の受光部で検知するものとされ、例えばパッド９Ａ、９Ｂがセンサ１９に対して２５ｍｍ以内に近接される状態から接触状態に至ると検知光の反射光が一定レベル以上に達したことをもってパッドの近接・接触状態を検知することとしている。
【００３７】
一方、近接センサ２０の方は、左右のパッド９Ａ、９Ｂのうち、被検者が把持する左手用パッド９Ａの下面に備えられる金属板１１の近接・接触状態を検知するものとされ、例えば金属体としてのパッド９Ａ下面の金属板１１が２５ｍｍ以内に近接された状態において、発生する渦電流が所定値以上となることに基づき、金属板１１の近接あるいは接触状態を検知するものとされる。
【００３８】
すなわち、近接センサ２０は前記光電センサ１９と異なり、各検知領域１８Ａ、１８Ｂに対するパッド９Ａ、９Ｂへの近接（例えば２５ｍｍ以内）・接触状態において金属板１１を備えた左手用パッド９Ａの近接・接触状態のみを検知する左右のパッド判別用センサとされる。
【００３９】
第１ないし第６のそれぞれの検知面１２〜１７において、左右対をなす検知領域１８Ａ、１８Ｂの間には、ＬＥＤ発光体２１が配設される。このＬＥＤ発光体２１は、赤、緑、黄のいずれかの色彩を選択的に発光可能とし、該選択発光に基づき被検者に対して対応する検知面１２〜１７における、対応するパッド９Ａ、９Ｂの対応する領域への近接あるいは接触動作の実行を促し、指示するものとされる。
【００４０】
すなわち、被検者の左右それぞれの手に把持されるパッド９Ａ、９Ｂを、対応検知面１２〜１７における、対応領域１８Ａ、１８Ｂに近接あるいは接触させるについては、
（１）被検者の左手に把持される左手用パッド９Ａを対応する検知面１２〜１７の左手検知領域１８Ａに近接あるいは接触させる行為の指示
（２）被検者の右手に把持される右手用パッド９Ｂを対応する検知面１２〜１７の右方検知領域１８Ｂに近接あるいは接触させる行為の指示
（３）被検者の左手に把持される左手用のパッド９Ａを対応する検知面１２〜１７の左方検知領域１８Ａに近接あるいは接触させ、かつ被検者の右手に把持させる右手用パッド９Ｂを同じ対応検知面１２〜１７の右方検知領域１８Ｂに近接あるいは接触させる行為の指示
の３つの指示パターンが存在し、被検者に行為の実行を指示する指示手段としてのＬＥＤ発光体２１は、対応する検知面１２〜１７における赤、緑、黄の選択発光に基づき、
赤が選択発光される場合は、対応検知面１２〜１７において被検者に（１）の行為の実行指示を、
緑が選択発光される場合は、対応検知面１２〜１７において被検者に（２）の行為の実行指示を、
黄が選択発光される場合は、対応検知面１２〜１７において被検者に（３）の行為の実行指示を、
それぞれ促すものとする。
【００４１】
こうして（１）ないし（３）の各行為別に赤、緑、黄の各配色が対応され、いずれかの色彩が対応検知面１２〜１７で選択発光されることで、対応検知面において上記（１）ないし（３）のいずれかの行為の実行を被検者に指示するようにしている。
【００４２】
上記指示手段としてのＬＥＤ発光体２１の選択発光が意味するルールについては、左側内面部２Ａの第１検知面１２の上方に備えられる表示板２２に筒略的に記載して表示され（図３参照）、（１）の行為の実行指示については「赤＝左手」の文字で、（２）の行為の実行指示については「緑＝右手」の文字で、（３）の行為の実行指示については「黄＝両手」の文字で、ルール説明を行っている。
【００４３】
右側内面部２Ｂのパッド収納穴部８Ａ 、８Ｂの左方位置には、図３に示すように操作盤２３が備えられ、該操作盤２３には測定開始スイッチとしてのスタートボタン２４、Ａコースを選択するための選択ボタン２５、Ｂコースを選択するための選択ボタン２６、さらにレベルボタン２７のそれぞれが備えられる。
【００４４】
スタートボタン２４は、その押動により測定開始を後述するコントロール部に対して発信するものであり、これに基づきコントロール部３４は測定開始を被検者に指示し、被検者の反射神経の測定をこの測定装置１により実行開始するものとしている。スタートボタン２４は、押動により発光する照光スイッチとされ、該発光は測定終了まで行われるようにしている。
【００４５】
Ａコースでは選択ボタン２５、Ｂコース選択ボタン２６のそれぞれは、いずれかのボタン２５、２６を押すことで、押されない他のコースが選択されるのを排除するものとされ、例えばＡコース選択ボタンを押すことで後述するＡコースの測定選択が行われてＢコース測定選択が排除され、逆にＢコース選択ボタンを押すことで後述するＢコースの測定選択が行われてＡコースの測定選択が排除されるようにしている。各コース選択ボタン２５、２６も、押動により発光する照光スイッチとされ、該発光も選択されたコースにより測定が終了するまで行われるようにしている。
【００４６】
レベルボタン２７は、その押動により後述する測定の難易度をノーマルレベルにするか、あるいはハイレベルにするかを選択するものであり、例えば１回の押動作によりハイレベルが、２回の押動作によりノーマルレベルが選択されるよう押動により測定難易度が変更できるようにするものである。ちなみに、レベルボタン２７にも、照光スイッチが用いられるが、発光は押動によりハイレベルが選択される場合にのみ行われ、測定が終了すると発光は終了し、レベルもノーマルレベルになるよう後述するコントロール部３４が予め設定している。
【００４７】
上記構成からなる本体２と、図１に示す使用状態において、２つの接続ケーブル４により電気的に接続される表示機３は、正面部の下方にスピーカ２８が配設される。このスピーカ２８からは、後述するように、例えば被検者に測定開始を報知する報知音、測定終了を報知する報知音、対応するパッドが指示どおりに検知領域に近接あるいは接触され、あるいは指示どおりに検知領域あるいは接触されなかった判別結果を報知する報知音、等を出力可能とするものである。
【００４８】
表示機３における正面部の上方右側には、上方にタイム表示部２９、下方にタッチ回数表示部３０がそれぞれ配設される。タイム表示部２９は、対応するパット９Ａ、９Ｂの対応する検知領域１８Ａ、１８Ｂへの近接あるいは接触が、被検者により予め設定された規定回数（例えば３０回の正解）に達したまでの秒数を、測定結果として表示するもので、このタイム表示部２９には直前に測定が行われた被検者の測定タイム（測定結果）が表示される。一方タッチ回数表示部３０は、対応するパッド９Ａ、９Ｂの対応する検知領域１８Ａ、１８Ｂへの近接あるいは接触が、被検者により制限時間（例えば６０秒）内に行われた回数（正解タッチ回数）を測定結果として表示するもので、このタッチ回数表示部３０においても直前に測定が行われた被検者の測定回数（測定結果）が表示されるようにしている。
【００４９】
一方表示機３における正面部上方左側には、上方に最高タイム表示部３１、下方に最高タッチ回数表示部３２がそれぞれ配設される。最高タイム表示部３１には、一定のグループに係る各被検者の測定タイムあるいは特定被検者が行った複数の測定タイム（上記タイム表示部２９に表示され、後述するメモリに記憶される一定範囲の測定結果）のうち、最も成績のよい最高タイムが表示されるようにしている。また最高タッチ回数表示部３２には、一定のグループに係る各被検者の測定回数あるいは特定被検者が行った複数の測定値（制限時間内の正解タッチ回数）のうち、最も成績のよい最高タッチ回数が表示されるようにしている。
【００５０】
各表示部２９、３０、３１、３２は、ＬＥＤ表示体、７セグメントの電極管等で構成され、設定される数値を対応表示可能としている。
【００５１】
次に上記測定装置１の回路構成、並びに動作系統を図８に基づいて説明する。測定装置１は、接続ケーブル４により電気的に接続される本体２と表示機３とにより、図９に示す回路を構成してなる。該回路を構成する各手段は、電源３３から供給される電力によりそれぞれ駆動可能とされる。
【００５２】
測定装置１は、コントロール部３４を備えてなり、該コントロール部３４は判別手段３６を介して、指示手段としての第１ないし第６検知面１２〜１７に配設されるＬＥＤ表示体２１に指示信号を送信可能としている。すなわち指示信号は、いずれかの検知面のＬＥＤ表示体２１に向けて、該表示体２１において赤、緑、黄のいずれかの選択発光が行われるべく、動作指令を行うものとされる。
【００５３】
一方、第１ないし第６検知面１２〜１７の各左方検知領域１８Ａから判別手段３６に対しては、当該領域１８Ａに配設される光電センサ１９並びに近接センサ２０の検知信号が入力可能とされる。さらに第１ないし第６検知面１２〜１７の各右方検知領域１８Ｂから判別手段３６に対しては、当該領域１８Ｂに配設される光電センサ１９並びに近接センサ２０での検知信号が入力可能とされる。
【００５４】
すなわち、コントロール部３４から判別手段３６を介して、対応する検知面（例えば第３検知面１４）のＬＥＤ表示体２１に
（１）赤の選択発光
（２）緑の選択発光
（３）黄の選択発光
のいずれかの指示信号が送信されると、該対応する表示体２１が上記対応する選択発光を行うこととなる。これにより被検者は、選択発光の指示に基づき、左手に把持する左手用パッド９Ａ、右手に把持する右手用パッド９Ｂを、ＬＥＤ表示体２１の発光が行われた対応する検知面（例えば第３検知面１４）の検知領域１８Ａ、１８Ｂに近接あるいは接触させる動作を行うこととなる。
【００５５】
例えば、第３検知面１４の表示体２１において、被検者は、赤の選択発光が行われた場合、左手用パッド９Ａを左方検知領域１８Ａに、緑の選択発光が行われた場合、右手用パッド９Ｂを右方検知領域１８Ｂに、黄の選択発光が行われ場合、左手用パッド９Ａを左方検知領域１８Ａに、かつ右手用パッド９Ｂを右方検知領域１８Ｂに、それぞれ近接あるいは接触する動作を行うことになる。  
【００５６】
判別手段３６は、こうして被検者が対応する左右のパッド９Ａ、９Ｂを対応する検知領域１８Ａ、１８Ｂに近接あるいは接触させた動作に基づき、左右いずれかの光電センサ１９から検知信号を入力することとなり、先ず該入力により左右いずれかのパッド９Ａ、９Ｂが検知領域１８Ａ、１８Ｂに近接あるいは接触された状態を判別する。加えて被検者が左手用パッド９Ａを対応する左方検知領域１８Ａに近接あるいは接触させた動作が行われると、該左方検知領域１８の近接センサ２０がパッド９Ａの下面に被着される金属板１１の近接・接触状態を認識し、近接センサ２０から検知信号が発信されて、該信号が判別手段３６に入力されることとなる。すなわち判別手段３６は該信号の入力により、対応する検知面（例えば第３検知面１４）における対応する左方検知領域１８Ａに、被検者の左手用パッド９Ａが近接あるいは接触させた状態を判別することとなる。ちなみに実施形態においては左方検知領域１８Ｂにおいても近接センサ２０を配設し、左手用パッド９Ａが対応する右方検知領域１８Ｂに近接あるいは接触させた状態において、その状態を該領域１８Ｂに存在する近接センサ２０が検知信号を判断手段３６に発信するようにしている。すなわち、実施形態で判別手段３６は、該センサ２０からの信号入力に基づき、ＬＥＤ発光体２１の選択発光に基づく指示を被検者が誤り、誤作動を行ったものとして認識することとしているが、各左方検知領域１８Ｂにおいては、必ずしも近接センサ２０を配設せず、右方検知領域１８Ｂの光電センサ１９からの信号入力状態並びに左方検知領域１８Ａの光電センサ１９と近接センサ２０からの信号とのＡＮＤ入力状態の有無により、対応するパッド９Ａ、９Ｂが対応する検知領域１８Ａ、１８Ｂに近接あるいは接触させたものとして認識させるようにしてもよい。
【００５７】
このように判別手段３６は、対応する検知面１２〜１７におけるＬＥＤ発光体２１の選択発光に基づき、該検知面の各領域１８Ａ、１８Ｂに存在するセンサ１９、２０から検知信号を入力して次の処理を行うようにしている。
（１）ＬＥＤ発光体２１が赤の選択発光を行う指示においては、左方検知領域１８Ａの各センサ１９、２０からの検知信号のＡＮＤ入力が上記ＬＥＤ発光体２１の発光タイミングから規定の時間内（例えば５秒以内）に行われた状態を判別し、その状態をもって被検者により正解動作が行われたものと認知して、該認知状態をコントロール部３４に出力する。これに対し、左方検知領域１８Ａの各センサ１９、２０から検知信号のＡＮＤ入力が上記ＬＥＤ発光体２１の発光タイミングから規定の時間内に行われなかった場合や、同様の規定時間内に右方検知領域１８Ｂの各センサ１９、２０から検知信号が入力される場合、被検者により不正解動作が行われたものと認知して、該認知状態をコントロール部３４に出力する。
（２）ＬＥＤ発光体２１が緑の選択発光を行う指示においては、右方検知領域１８Ｂの光電センサ１９のみからの検知信号の、上記ＬＥＤ発光体２１の発光タイミングから規定時間内（例えば５秒）においての入力状態を判別し、その状態をもって被検者により正解動作が行われたものと認知して、該認知状態をコントロール部３４に出力する。これに対し、右方検知領域１８Ｂの光電センサ１９から上記規定時間内に検知信号が入力されなかったり、左方検知領域１８Ａの各センサ１９、２０から検知信号が入力される場合や、右方検知領域１８Ｂの各センサ１９、２０から上記規定時間内に検知信号がＡＮＤ入力される場合、被検者により不正解動作が行われたものと認知して該認知状態をコントロール部３４に出力する。
（３）ＬＥＤ発光体２１が黄の選択発光を行う指示においては、左方検知領域１８Ａの各センサ１９、２０からの検知信号の、上記ＬＥＤ発光体２１の発光タイミングから規定内（例えば５秒）においてＡＮＤ入力が行われ、かつ右方検知領域１８Ｂの発光センサ１９からの、上記同様の規定時間内に行われる検知信号の入力状態を判別し、その状態をもって被検者により正解動作が行われたものと認知して、該認知状態をコントロール部３４に出力する。これに対し、各検知領域１８Ａ、１８Ｂの各センサ１９、２０から上記規定の時間内に検知信号の入力が行われなかった場合や、左方検知領域１８Ａの光電センサ１９のみから上記規定時間内に検知信号が入力される場合や、右方検知領域１８Ｂの各センサ１９、２０から上記規定時間内に検知信号のＡＮＤ入力がなされる場合、被検者により不正解動作が行われたものと認知して、該認知状態をコントロール部３４に出力する。
【００５８】
コントロール部３４は、図１に示す操作盤２３からの信号を入力可能としている。すなわち操作盤２３には、前記のとおりスタートボタン２４、Ａコース選択ボタン２５、Ｂコース選択ボタン２６、レベルボタン２７が配設され、コントロール部３４は、被検者が押動操作する各ボタン２４〜２７の入力状態を認識して次の動作を実行するようにしている。
【００５９】
先ずスタートボタン２４が押動された場合、被検者が選択ボタン２５、２６並びにレベルボタン２７で選択され、予めメモリ３５に記憶された選択コースからなる、動作順序のプログラムが実行されることとなり、判別手段３６を介して対応する検知面１２〜１７のＬＥＤ表示体２１に対し、順次選択発光に係る指示を実行するための動作指令がスタートすることとなる。
【００６０】
ここで、Ａコース選択ボタン２４並びにＢコース選択ボタン２５は、上記スタートボタン２４の押動により、実行される測定装置１の測定プログラムを選択する手段に係り、該実行されるプログラムは予めメモリ３５に記憶される。加えてレベルボタン２７は、ＡＢ各コースにおけるレベル選択を行う手段に係り、通常の状態（押さない状態）でノーマルレベルが、１回押す状態でハイレベルが選択されるようにしている。Ａ、Ｂ各コースにおけるハイレベルとノーマルレベルの測定プログラムはこのように予めメモリ３５に記憶されてなり、各コースの測定プログラムは次のようにして実行される。
「Ａコース、ノーマルレベル」
制限時間６０秒以内において、各検知面１２〜１７のＬＥＤ発光体２１をランダムに、あるいはアトランダムに順次選択発光させ、これに基づく被検者の規定時間内（５秒以内）の正解動作、不正解動作を順次コントロール部３４で認知する。ノーマルレベルでのＬＥＤ発光体２１の順次選択発光させる点滅間隔は、５秒間とし、６０秒間に１２回、点滅するようにしている。
「Ａコース、ハイレベル」
制限時間６０秒以内において、各検知面１２〜１７のＬＥＤ発光体２１をランダムに、あるいはアトランダムに順次選択発光させ、これに基づく被検者の規定時間内（３秒以内）の正解動作、不正解動作を順次コントロール部３４で認知する。ハイレベルでのＬＥＤ発光体２１の順次選択発光させる点滅間隔は、３秒間とし、６０秒間に２０回、点滅するようにしている。
「Ｂコース、ノーマルレベル」
各検知面１２〜１７のＬＥＤ発光体２１をランダムに、あるいはアトランダムに、赤あるいは緑のいずれかの色彩で順次一定時間間隔（例えば５秒）をもって選択発光させ、これに基づき、被検者が規定回数（３０回）の正答動作がコントロール部３４で認知されるまでの時間を計測する。
「Ｂコース、ハイレベル」
各検知面１２〜１７のＬＥＤ発光体２１をランダムに、あるいはアトランダムに赤、緑、黄のいずれかの色彩で順次一定の時間間隔（例えば５秒）をもって選択発光させ、これに基づき、被検者が規定回数（３０回）の正解動作がコントロール部３４で認知されるまでの時間を計測する。
【００６１】
こうして、各コース選択ボタン２５、２６並びにレベルボタン２７を押すことで上記４つの各コースの選択が可能となる。ちなみに選択された状態は、前述のとおり照光スイッチとしての各ボタン２５、２６、２７の選択的照光状態により視認可能とすることができる。
【００６２】
コントロール部３４には音声合成装置３７を介してスピーカ２８が接続される。コントロール部３４の次の状態において、音声合成装置３７に対しスピーカ２８からの対応する発声が実行されるべく出力を行うようにしている。
(i)被検者等がスタートボタン２４を押動した状態に基づき、測定開始を被検者に報知するためのスタート開始音、の発声の指示出力
(ii)Ａコース選択ボタン２５によりＡコースを選択した場合において、制限時間６０秒が経過したことを被検者に報知するための終了音、の発声の指示出力
(iii)Ｂコース選択ボタン２６によりＢコースを選択した場合において、規定回数（３０回）がクリアされたことを被検者に報知するためのクリヤ音、の発声の指示出力
(iv)被検者が把持する対応するパッド９Ａ、９Ｂの対応する検知領域１８Ａ、１８Ｂへの近接あるいは接触動作の度にコントロール部３４で規定時間内において認知される正解動作、不正解動作に対応し、規定時間内において正解動作が認知された場合は
正解音、規定時間内において不正解動作が認知された場合は不正解音、の発声の指示出力
【００６３】
音声合成装置３７には、ボリュームスイッチが備えられ、該スイッチの操作によりスピーカ２８から発声される音の音量の大きさが調整可能とされる。
【００６４】
こうして各コース別に被検者が把持するパッド９Ａ、９Ｂが対応する検知面１２〜１７の検知領域１８Ａ、１８Ｂに近接あるいは接触させた動作に基づき、その判断結果を順次メモリ３５に出力して記憶させることが可能となる。この結果、コースを選択した被検者における、反射神経の測定結果を、Ａコースの場合はタッチ回数で、Ｂコースの場合は時間（秒数）で表示し、知らせることが可能となる。Ａコースで実行された測定結果は、「ただいまの記録」としてタッチ回数表示部３０で表示されることとなる（図６参照）。またＢコースで実行された測定結果についても、「ただいまの記録」としてタイム表示部２９で表示されることとなる（図６参照）。
【００６５】
被検者の測定結果については、メモリ３５に複数記憶させることが可能となり、これにより複数の被検者からなるグループメンバーの測定結果や同じ被検者が複数回行った測定結果についてメモリ３５に記憶可能となる。
【００６６】
こうした複数の測定結果のうち「最高記録」については、Ａコースの場合は最高タッチ回数表示部３２で、Ｂコースの場合は最高タイム表示部３１にそれぞれ表示することが可能とされ、例えばグループメンバー間での最高記録や同じ被検者の最高記録を認識可能にしている。
【００６７】
上記実施形態に係る測定装置１においての請求項記載の主たる構成要素については、図９に示すとおりの相関関係を有するものとされる。すなわち、コントロール部３４から判別手段３６を介して指示手段４０に、被検者にパッドの近接あるいは接触実行のための指示が行うようにされ、この指示手段４０については前記実施形態の場合、ＬＥＤ発光体２１とされる。しかし指示手段４０についてはこのようなものに限定されず、例えば被検者に、左右いずれかのパッド９Ａ、９Ｂを対応する領域に近接あるいは接触させるため、スピーカ２８から検知体の場所を表す数字と、「右」「左」、「両手」などの音声を発声させるものとしてもよく、さらにテレビモニタでこうしたアナウンスや表示を行うようにしてもよい。
【００６８】
図９に示すように、本発明では検知体４１から判別手段３６に、検知体４１で検知された信号を順次入力して検知状態の判別を行うようとしている。上記実施形態において、左右検知領域１８Ａ、１８Ｂを備えた検知体として、第１ないし第６の検知面１２〜１７を本体２の左右の内面部２Ａ、２Ｂに６つ備えることとしている。しかし検知体は、１つでもよく、また難易度を増すべく７つ以上の左右の検知領域を複数対備えるものとしてもよい。さらに左右の検知領域９Ａ、９Ｂを備えた検知体について、上記実施形態では内面部２Ａ、２Ｂを構成する基板（プリント基板）上に配設するようにしているが、感知シートや電極パッドなどシート状からなる面状体上に配設するようにしてもよい。
【００６９】
図９に示すように、本発明では選択手段４２において、
（１）被検者の左手に把持されるパッドを左方検知領域に近接あるいは接触させる行為
（２）被検者の右手に把持されるパッドを右方検知領域に近接あるいは接触させる行為
（３）被検者の左手に把持されるパッドを左方検知領域に近接あるいは接触させ、かつ被検者の右手に把持されるパッドを把持させるパッドを右方検知領域に近接あるいは接触させる行為
のいずれかを被検者にランダムに、あるいはアトランダムに実行させるようにし（請求項５参照）、これによりコントロール部３４において、メモリ３５に予め記憶された値に基づき、指示手段４０による指示状態の制御、あるいは一定時間内における指示回数の設定を可能にしている。
【００７０】
上記実施形態の場合、選択手段４２として、各コース選択ボタン２５、２６並びにレベルボタン２７を選択操作して合計４つのコースを選択する例が示されているが、本発明はこのような例を限定されるものではなく、例えば規定回数を可変に選択可能にしたり、制限時間当たりのＬＥＤ表示体２１の点滅間隔を可変に選択できるようにしてもよい。
【００７１】
さらに上記実施形態では、
（１）被検者の左手に把持されるパッドを左方検知領域に近接あるいは接触させる行為
（２）被検者の右手に把持されるパッドを右方検知領域に近接あるいは接触させる行為
（３）被検者の左手に把持されるパッドを左方検知領域に近接あるいは接触させ、かつ被検者の右手に把持されるパッドを把持させるパッドを右方検知領域に近接あるいは接触させる行為
のいずれかを被検者に実行させるべく、ＬＥＤ発光体２１の３色を選択発光させる例を中心に説明を行っているが、上記行為のうち（１）、（２）のいずれかの行為を行わせるべく、ＬＥＤ発光体２１を赤か緑のいずれかに選択発光させるだけのものであってもよい。
【００７２】
図９に示すように本発明では、コントロール部３４より報知手段４３に対し、判別手段３６が判別した結果等を報知することとしている（請求項７参照）。この報知手段４３として、上記実行形態ではスピーカ２８から発声される音声に基づき被検者への報知が行われるようにしている。しかし報知手段としては、このようなものに限定されず、例えば色彩が変化する発光体、テレビモニタでの報知など様々なものが採用可能とされる。
【００７３】
また上記実施形態では、測定結果の表示を各表示２９、３０、３１、３２に表示することで行うようにしているが、こうした表示に加えて、測定結果のアナウンスを報知手段としてのスピーカ２８から発声させるようにしてもよい。
【００７４】
図９に示すように本発明では、コントロール部３４より表示手段４４に対し、被検者の測定結果に係る正答数等を出力するようにしている（請求項８、９）。この表示手段４４として、上記実施形態では各表示２９〜３２を備えた表示機３を例に挙げているが、本発明の表示手段４４はこのようなものに限定されるものではなく、例えば液晶モニタ、ＣＲＴなどの表示手段を用いることとしてもよい。
【００７５】
さらに、上記実施形態では、左手用パッド９Ａの下面部に金属板１１を被着し、左方検知領域１８Ａに配設される各センサ１９、２０から出力される検知信号に基づき、判別手段３６においてその存在を認識するようにしているが、これとは別に右手用パッド９Ｂの下面部のみ金属板１１を被着し、右方検知領域１８Ｂに配設される各センサ１９、２０から出力される検知信号に基づき、判別手段３６にてその近接・接触を認知させることとしてもよい。
【００７６】
さらに、左手用パッド９Ａの下面部に被着される金属体は、必ずしも金属板である必要はなく、要は近接センサ２０により検知できる金属材であればどのような形状でもよい。
【００７７】
本発明は、簡易に被検者の左右の手の動作能力としての反射神経を測定することができ、老人の健康診断用の機器として利用することが可能である。また、本発明の機器をリハビリテーション用として継続して使用することで、加齢による脳内運動プログラム消失（判断能力の遅延）を食い止めることができるばかりでなく、消失した脳内運動プログラムの代替構築効果も期待できる。さらに、本発明は、年齢に関係なく反射神経を測定するための遊具としても利用することができるので、発育期の幼児、児童、生徒にとっては、遊びながらにして脳内運動プログラム構築促進効果が期待できる。
【図面の簡単な説明】
【００７８】
【図１】本発明の最良の実施形態に係り、反射神経の測定装置の使用状態を示す斜視図である。
【図２】図１に示す測定装置の収納状態を示す斜視図である。
【図３】測定装置本体の内面部を広げ、支持面上に支持した状態を示す平面図である。
【図４】図３のＩＶ−ＩＶ線に沿う拡大断面図である。
【図５】左手用パッド並びに右手用パッドを示す正面図である。
【図６】表示機の正面図である。
【図７】図６のＶＩＩ−ＶＩＩ線に沿う断面図である。
【図８】測定装置の回路構成を示すブロック図である。
【図９】本発明の各請求項において示される構成要素の関連を示すブロック図である。
【符号の説明】
【００７９】
１                  反射神経の測定装置
２                  測定装置本体
２Ａ、２Ｂ          内面部
３                  表示機
４                  接続ケーブル
５                  ヒンジ
６                  支持面
７                  把手
８Ａ                左収納穴部
８Ｂ                右収納穴部
９Ａ                左手用パッド
９Ｂ                右手用パッド
１０                把持部
１１                金属板
１２                第１検知面
１３                第２検知面
１４                第３検知面
１５                第４検知面
１６                第５検知面
１７                第６検知面
１８Ａ              左方検知領域（検知体）
１８Ｂ              右方検知領域（検知体）
１９                光電センサ
２０                近接センサ
２１                ＬＥＤ発光体（指示手段）
２２                表示板
２３                操作盤
２４                スタートボタン
２５                Ａコース選択ボタン
２６                Ｂコース選択ボタン
２７                レベルボタン
２８                スピーカ
２９                タイム表示部
３０                タッチ回数表示部
３１                最高タイム表示部
３２                最高タッチ回数表示部
３３                電源
３４                コントロール部
３５                メモリ
３６                判別手段
３７                音声合成装置
４０                指示手段
４１                検知体
４２                選択手段
４３                報知手段
４４                表示手段
【図１】
2007215895.tif 000003
【図２】
2007215895.tif 000004
【図３】
2007215895.tif 000005
【図４】
2007215895.tif 000006
【図５】
2007215895.tif 000007
【図６】
2007215895.tif 000008
【図７】
2007215895.tif 000009
【図８】
2007215895.tif 000010
【図９】
2007215895.tif 000011